(57)【要約】      （修正有）【課題】利便性の高い拡大鏡を提供する。【解決手段】本考案に係る拡大鏡１は、一端側に凸レンズＲ又はフレネルレンズを保持し、他端側に厚み方向に貫通する貫通孔２０Ｈが形成されている。持ち手部分となる第２部材２０の材質をシリコンゴムとすることにより、滑りにくく、しっかりと拡大鏡を把持できる。【選択図】図１
0003234097.tif 000002
【実用新案登録請求の範囲】
【請求項１】
一端側に凸レンズ又はフレネルレンズを保持し、他端側に厚み方向に貫通する貫通孔が形成された拡大鏡。
【請求項２】
前記貫通孔の内周面の少なくとも一部には、滑り止め加工が施されている、
ことを特徴とする請求項１に記載の拡大鏡。
【請求項３】
前記拡大鏡は、
前記凸レンズ又は前記フレネルレンズを保持する前記第１部材と、
前記貫通孔が形成された第２部材と、
前記第１部材と、前記第２部材とを接続する第３部材とで構成される、
ことを特徴とする請求項１又は請求項２に記載の拡大鏡。
【請求項４】
前記第３部材は、
一端に前記第１部材の一部が挿入される凹部を有し、
前記第２部材は、
前記第３部材の少なくとも一部を収容するための空間が形成され、
前記第１部材の前記一部が、前記第３部材の凹部に挿入され、
前記第３部材の少なくとも一部が、前記第２部材の前記空間内に収容されることで、前記第１部材と前記第２部材とが接続される、
ことを特徴とする請求項３に記載の拡大鏡。
【請求項５】
前記第３部材の他端には、
厚み方向に貫通する貫通孔が形成され、
前記第３部材の少なくとも一部を前記第２部材の空間に収容した際に、前記第２部材の貫通孔と、前記第３部材の貫通孔とが平面視において略重なる、
ことを特徴とする請求項４に記載の拡大鏡。
【請求項６】
前記第３部材の貫通孔の内周面の少なくとも一部には、滑り止め加工が施されている、
ことを特徴とする請求項５に記載の拡大鏡。
【請求項７】
前記第３部材の貫通孔の内周面に施された滑り止め加工の頂点を通る円形の仮想線の直径は、ペットボトルの蓋の外径よりも若干小さく形成されている、
ことを特徴とする請求項６に記載の拡大鏡。
【請求項８】
前記第３部材の少なくとも一部は、
可撓性部材で構成される、
ことを特徴とする請求項３乃至請求項７のいずれかに記載の拡大鏡。
【請求項９】
前記可撓性部材は、鋼板である、
ことを特徴とする請求項８に記載の拡大鏡。
【請求項１０】
前記第２部材は、
シリコンゴムで構成される、
ことを特徴とする請求項３乃至請求項９のいずれかに記載の拡大鏡。
【請求項１１】
磁石を備え、前記第３部材の鋼材に磁着して、前記第３部材の位置を固定する第４部材を備える、
ことを特徴とする請求項９に記載の拡大鏡。
【考案の詳細な説明】
【技術分野】
【０００１】
本考案は、拡大鏡に関する。
【背景技術】
【０００２】
従来より、細かい手作業を行う場合に手元を拡大して観察するために、又は、新聞やスマートフォンなどの細かな文字を拡大して読むために、拡大鏡が用いられている。そのような拡大鏡として、例えば、特許文献１に開示されるような拡大鏡がある。
【先行技術文献】
【特許文献】
【０００３】
【特許文献１】特許第６８８１７９２号公報
【考案の概要】
【考案が解決しようとする課題】
【０００４】
しかしながら、特許文献１に開示される拡大鏡は、携帯性に優れず、また使用時には組み立てが必要であるなど携帯性や使用面において向上の余地がある。
【０００５】
本考案は、上記課題の解決のためになされたものであり、利便性の高い拡大鏡を提供することを目的とする。
【課題を解決するための手段】
【０００６】
上記の課題を解決すべく、本考案に係る拡大鏡は、一端側に凸レンズ又はフレネルレンズを保持し、他端側に厚み方向に貫通する貫通孔が形成されている。
【考案の効果】
【０００７】
以上説明したように、本考案によれば、利便性の高い拡大鏡を提供することができる。
【図面の簡単な説明】
【０００８】
【図１】実施形態に係る拡大鏡の斜視図である。
【図２】実施形態に係る拡大鏡の分解斜視図である。
【図３】実施形態に係る拡大鏡の平面図である。
【図４】実施形態に係る拡大鏡の側面図である。
【図５】実施形態に係る拡大鏡の一部透視図である。
【図６】実施形態に係る拡大鏡の断面図である。
【図７】実施形態に係る拡大鏡の第３部材の平面図である。
【図８】実施形態に係る拡大鏡の第３部材の側面図である。
【図９】実施形態に係る拡大鏡の使用例を示す斜視図である。
【図１０】実施形態に係る拡大鏡の固定部材（第４部材）の斜視図である。
【図１１】実施形態に係る拡大鏡の固定部材（第４部材）を含む斜視図である。
【図１２】実施形態に係る拡大鏡の固定部材（第４部材）を含む平面図である。
【図１３】実施形態に係る拡大鏡の固定部材（第４部材）を含む側面図である。
【考案を実施するための形態】
【０００９】
[実施形態]
（拡大鏡１の構成）
以下、図１〜図８を参照して、本実施形態に係る拡大鏡１の構成について説明する。
本実施形態の拡大鏡１は、平面視にて円形のレンズＲ（凸レンズ又はフレネルレンズ）を保持する第１部材１０と、板厚方向（厚み方向）に貫通する貫通孔２０Ｈが形成された第２部材２０と、第１部材１０と第２部材２０とを接続する第３部材３０とを備えている。
拡大鏡１は、厚みが薄く、レンズＲを保持する部分以外、言い換えるとユーザが把持する部分が略矩形状となっているため、持ちやすく携帯に便利である。
【００１０】
第１部材１０は、中央に厚み方向に貫通し、内部にレンズＲが保持される貫通孔が形成された本体部１１と、本体部１１から突出し、第３部材３０と接続される板状の突出部１２とで構成される。また、本体部１１のレンズＲが保持される貫通孔の周囲（周縁部）は、テーパー１１Ｒを有するリブ形状となっている。
【００１１】
第１部材１０に保持されるレンズＲは、文字や図面等を拡大する機能を有する。本考案の実施形態では、レンズＲは、透明な樹脂等の材料で形成されている。なお、ガラスは、比重が重い、衝撃で破損しやすい等の性質を有するため、本実施形態の拡大鏡１での使用には不向きである。
【００１２】
第２部材２０は、内部に第３部材３０の少なくとも一部を収容するための空間２０Ｒが形成された板状体である。第２部材２０は、一端側に第３部材３０を空間２０Ｒに挿入するための開口２１が形成され、他端側に板厚方向に貫通する貫通孔２０Ｈが形成されている。また、第２部材２０の他端側は、半円形状となっている。第２部材２０の材質は、例えば、シリコンゴムなどである。ユーザが拡大鏡１を使用する際に、持ち手部分となる第２部材２０の材質をシリコンゴムとすることにより、滑りにくくしっかりと拡大鏡１を把持することができる。
【００１３】
第３部材３０は、第１部材１０の突出部１２が挿入される凹部を有する側面視にてコの字形状のコの字状部材３１と、一端側がコの字状部材３１と（例えば溶接やリベットにより）接続される可撓性の鋼板で構成される板状部材３２と、板状部材３２の他端側と（例えば溶接やリベットにより）接続される中央部に板厚方向（厚み方向）に貫通する貫通孔３３Ｈが形成された有孔部材３３とで構成される。
【００１４】
コの字状部材３１の内面には、両面テープ３１Ｔが貼付けられており、該両面テープ３１Ｔにより、第１部材１０の突出部１２がコの字状部材３１と接続（接着）される。第３部材３０の有孔部材３３の貫通孔３３Ｈは、第３部材３０を第２部材２０の空間２０Ｒ内に収容した際に、第２部材２０の貫通孔２０Ｈと、第３部材３０の有孔部材３３の貫通孔３３Ｈとが平面視において略重なる位置に形成されている。
【００１５】
有孔部材３３の貫通孔３３Ｈの内周面３３Ｓには、滑り止め加工が施されている。具体的には、本実施形態では、滑り止め加工は、貫通孔３３Ｈの内周面３３Ｓに所定の間隔で等間隔に３か所に形成された凹凸３３Ｒであるが、後述するようにペットボトルの蓋の開閉する際の滑り止めとして機能するのであれば、貫通孔３３Ｈの内周面３３Ｓに凹凸３３Ｒ以外の加工を施してもよい。なお、本実施形態の拡大鏡１は、後述するようにペットボトルの蓋の開閉にも利用するため、貫通孔３３Ｈの内周面３３Ｓに所定の間隔で等間隔に３か所に形成された凹凸３３Ｒの凸部の頂点を通る円形の仮想線Ｌの直径Ｄは（図７参照）、ペットボトルの蓋の外径よりも若干小さく（本実施形態では、２９．８６ｍｍ）形成されていることが好ましい。
【００１６】
なお、第３部材３０は、拡大鏡１の芯材としても機能するため、コの字状部材３１、板状部材３２及び有孔部材３３は、ある程度の硬さを有する材質で構成されていることが好ましい。例えば、コの字状部材３１及び板状部材３２は、ＳＰＣＣ（普通鋼（冷間圧延鋼帯））などで構成されていることが好ましく、有孔部材３３は、ＳＵＳ４３０などで構成されていることが好ましい。
【００１７】
（拡大鏡１の利用方法）
以下、図９を参照して、本実施形態に係る拡大鏡１の利用方法について説明する。
図９に示すように、本実施形態の拡大鏡１の貫通孔２０Ｈにペットボトル２の蓋２Ｃを挿入することで、拡大鏡１がペットボトル２に固定される。なお、安定性を考慮してペットボトル２には拡大鏡１を固定した状態で不安定とならない程度の量の液体が入っていることが好ましい。このように、拡大鏡１の貫通孔２０Ｈにペットボトル２の蓋２Ｃを挿入することで、ユーザは、両手を自由に使用して、新聞やスマートフォンなどの細かな文字を拡大して読んだり、手元を拡大して観察することができる。また、拡大鏡１の芯材としても機能する第３部材３０を構成する板状部材３２は、可撓性を有するためレンズＲの位置を調整することができ、利便性に優れる。
【００１８】
（拡大鏡１の付属部品）
以下、図１０〜図１３を参照して、本実施形態に係る拡大鏡１の第４部材４０について説明する。
第４部材４０は、拡大鏡１をペットボトル２以外に固定するための付属部品である。第４部材４０は、円盤形状の平板部４１と、平板部４１に立設する角が丸みを帯びた略直方体形状の立設部４２とで構成される。平板部４１及び立設部４２の材質は、例えば、シリコンゴムなどである。
【００１９】
平板部４１には、平板部４１の外径よりも一回り小さな円形状鋼板４１Ｆ（例えば、ＳＰＣＣ（普通鋼（冷間圧延鋼帯）））が埋設されており、この円形状鋼板４１Ｆには両面テープ４１Ｔが貼り付けられている。この両面テープ４１Ｔにより、第４部材４０をユーザの任意の場所に貼り付けて固定することができる。また、第４部材４０の立設部４２部内には、磁石４２Ｍが埋設されている。この磁石４２Ｍは、拡大鏡１の第３部材３０に磁着する。このため、ユーザは、両面テープ４１Ｔにより第４部材４０を任意の場所に貼り付けて固定し、この第４部材４０に拡大鏡１の第３部材３０を磁着させることで、拡大鏡１をペットボトル２以外の任意の場所に固定することができる。なお、第４部材４０を任意の固定できれば、両面テープ以外の方法、例えば、画鋲やピンなどで第４部材４０を固定してもよい。
【００２０】
以上のように、拡大鏡１は、一端側にレンズＲを保持し、他端側に厚み方向に貫通する貫通孔２０Ｈが形成されている。そして、貫通孔２０Ｈの内周面の少なくとも一部には、滑り止め加工が施されている。このため、貫通孔２０Ｈを利用してペットボトル２の蓋２Ｃを開閉することができ、利便性に優れる。
【００２１】
拡大鏡１は、レンズＲ第１部材１０と、貫通孔２０Ｈが形成された第２部材２０と、第１部材１０と、第２部材２０とを接続する第３部材３０とで構成される。そして、第３部材３０は、一端に第１部材１０の一部が挿入される凹部を有し、第２部材２０は、第３部材３０の少なくとも一部を収容するための空間２０Ｒが形成されている。そして、第１部材１０の一部（突出部１２）が、第３部材３０の凹部に挿入され、第３部材３０の少なくとも一部が、第２部材２０の空間２０Ｒ内に収容されることで、第１部材１０と第２部材２０とが接続される。このように拡大鏡１は、異なる３つの部材で構成される。
【００２２】
また、第３部材３０の他端には、厚み方向に貫通する貫通孔３３Ｈが、第３部材３０の少なくとも一部を第２部材２０の空間２０Ｒに収容した際に、第２部材２０の貫通孔２０Ｈと、第３部材３０の貫通孔３３Ｈとが平面視において略重なる位置に形成されている。そして、第３部材３０の貫通孔３３Ｈの内周面３３Ｓの少なくとも一部には、滑り止め加工（凹凸３３Ｒ）が施されている。また、貫通孔３３Ｈの内周面３３Ｓに所定の間隔で等間隔に３か所に形成された凹凸３３Ｒの凸部の頂点を通る円形の仮想線Ｌの直径Ｄは、ペットボトルの蓋の外径よりも若干小さく形成されている（本実施形態では、２９．８６ｍｍ）。このため、凹凸３３Ｒがペットボトル２の蓋２Ｃの外周に噛んで固定されるためしっかりとグリップすることができる。
【００２３】
また、第３部材３０の少なくとも一部は、撓性部材で構成されているので、拡大鏡１を固定した際にレンズＲの位置を調整することができ、利便性に優れる。
また、第２部材２０は、シリコンゴムで構成されているので、拡大鏡１をグリップする際に滑りにくく、しっかりと握ることができる。
【００２４】
また、拡大鏡１は、磁石を備え、第３部材３０の鋼材に磁着して、第３部材３０の位置を固定する第４部材４０を備える。このため、ユーザは、第４部材４０を任意の場所に固定し、この第４部材４０に拡大鏡１の第３部材３０を磁着させることで、拡大鏡１をペットボトル２以外の任意の場所に固定することができる。
【符号の説明】
【００２５】
１  拡大鏡
１０  第１部材
１１  本体部
１１Ｒ  テーパー
１２  突出部
２０  第２部材
２０Ｈ  貫通孔
２０Ｒ  空間
２１  開口
３０  第３部材
３１  コの字状部材
３１Ｔ  両面テープ
３２  板状部材
３３  有孔部材
３３Ｈ  貫通孔
３３Ｓ  内周面
３３Ｒ  凹凸
４０  第４部材（付属部品）
４１  平板部
４１Ｆ  芯材（円形状鋼板）
４１Ｔ  両面テープ
４２  立設部
４２Ｍ  磁石
Ｒ  レンズ
【図１】
0003234097.tif 000003
【図２】
0003234097.tif 000004
【図３】
0003234097.tif 000005
【図４】
0003234097.tif 000006
【図５】
0003234097.tif 000007
【図６】
0003234097.tif 000008
【図７】
0003234097.tif 000009
【図８】
0003234097.tif 000010
【図９】
0003234097.tif 000011
【図１０】
0003234097.tif 000012
【図１１】
0003234097.tif 000013
【図１２】
0003234097.tif 000014
【図１３】
0003234097.tif 000015